【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）が、第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させることと、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、前記第１のＲＡＴネットワークに関連するＧＰおよび前記ＵｐＰＴＳのために割り振られるシンボルの数が、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって判断される、
前記ＵｐＰＴＳにおいて送信することと
を備える、前記ＵＥによるワイヤレス通信のための方法。
【請求項２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項１に記載の方法。
【請求項３】
前記ＳＲＳ送信が、アップリンク送信のために割り振られる前記３つ以上のシンボルのうちの最後の２つのシンボル中で前記ＲＡＣＨ送信と重複する、請求項２に記載の方法。
【請求項４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項１に記載の方法。
【請求項５】
前記第２のＲＡＴネットワークが時分割同期符号分割多元接続（ＴＤ−ＳＣＤＭＡ）を備える、請求項１に記載の方法。
【請求項６】
前記第１のＲＡＴネットワークがロングタームエボリューション（ＬＴＥ）時分割複信（ＴＤＤ）を備える、請求項４に記載の方法。
【請求項７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項１０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項６に記載の方法。
【請求項１１】
第１の無線アクセス技術（ＲＡＴ）ネットワークに関連するアップリンクパイロットタイムスロット（ＵｐＰＴＳ）中のアップリンク送信の領域を判断するための手段と、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させるための手段と、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、前記第１のＲＡＴネットワークに関連するＧＰおよび前記ＵｐＰＴＳのために割り振られるシンボルの数が、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって判断される、
前記ＵｐＰＴＳにおいて送信するための手段と
を備える、ワイヤレス通信のための装置。
【請求項１２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項１１に記載の装置。
【請求項１３】
前記ＳＲＳ送信が、アップリンク送信のために割り振られる前記３つ以上のシンボルのうちの最後の２つのシンボル中で前記ＲＡＣＨ送信と重複する、請求項１２に記載の装置。
【請求項１４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項１１に記載の装置。
【請求項１５】
前記第２のＲＡＴネットワークが時分割同期符号分割多元接続（ＴＤ−ＳＣＤＭＡ）を備える、請求項１１に記載の装置。
【請求項１６】
前記第１のＲＡＴネットワークがロングタームエボリューション（ＬＴＥ）時分割複信（ＴＤＤ）を備える、請求項１５に記載の装置。
【請求項１７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項１８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項１９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項２０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項１６に記載の装置。
【請求項２１】
第１の無線アクセス技術（ＲＡＴ）ネットワークに関連するアップリンクパイロットタイムスロット（ＵｐＰＴＳ）中のアップリンク送信の領域を判断することと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させることと、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、少なくとも１つのプロセッサが、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって、前記第１のＲＡＴネットワークに関連するＧＰおよび前記ＵｐＰＴＳのために割り振られるシンボルの数を判断するように構成される、
前記ＵｐＰＴＳにおいて送信することと
を行うように構成された前記少なくとも１つのプロセッサと、
前記少なくとも１つのプロセッサに結合されたメモリと
を備える、ワイヤレス通信のための装置。
【請求項２２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項２１に記載の装置。
【請求項２３】
前記少なくとも１つのプロセッサが、アップリンク送信のために割り振られる前記３つ以上のシンボルのうちの最後の２つのシンボル中で前記ＲＡＣＨ送信と重複する前記ＳＲＳ送信を送信するように構成される、請求項２２に記載の装置。
【請求項２４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項２１に記載の装置。
【請求項２５】
前記第２のＲＡＴネットワークが時分割同期符号分割多元接続（ＴＤ−ＳＣＤＭＡ）を備える、請求項２１に記載の装置。
【請求項２６】
前記第１のＲＡＴネットワークがロングタームエボリューション（ＬＴＥ）時分割複信（ＴＤＤ）を備える、請求項２５に記載の装置。
【請求項２７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項２８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項２９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項３０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項２６に記載の装置。
【請求項３１】
第１の無線アクセス技術（ＲＡＴ）ネットワークに関連するアップリンクパイロットタイムスロット（ＵｐＰＴＳ）中のアップリンク送信の領域を判断するためのコードと、ここにおいて、前記ＵｐＰＴＳが、アップリンク送信のために割り振られる３つ以上のシンボルを備える、
前記第１のＲＡＴネットワークが第２のＲＡＴネットワークと共存するように、前記第１のＲＡＴネットワークと前記第２のＲＡＴネットワークとの間でアップリンク送信を整合させるためのコードと、ここにおいて、前記３つ以上のＵｐＰＴＳシンボルの数が、前記第２のＲＡＴの構成に基づき、アップリンク送信のための前記シンボルの一部分が、前記第２のＲＡＴネットワークに関連する少なくともガード期間（ＧＰ）およびＵｐＰＴＳと重複し、前記第１のＲＡＴネットワークに関連するＧＰおよび前記ＵｐＰＴＳのために割り振られるシンボルの数が、
前記第２のＲＡＴネットワークに関連する前記ＧＰ、前記第２のＲＡＴネットワークに関連する前記ＵｐＰＴＳ、および前記第２のＲＡＴネットワークに関連するアップリンクタイムスロットの総持続時間を判断することと、
前記総持続時間と前記第１のＲＡＴネットワークに関連するアップリンクサブフレームの持続時間との間の差を判断することと
によって判断される、
前記ＵｐＰＴＳにおいて送信するためのコードと
を備えるコンピュータ実行可能コードを記憶した、非一時的コンピュータ可読媒体。
【請求項３２】
前記アップリンク送信が、少なくともサウンディング基準信号（ＳＲＳ）送信、ランダムアクセスチャネル（ＲＡＣＨ）送信、物理アップリンク共有チャネル（ＰＵＳＣＨ）送信、またはピアツーピア（Ｐ２Ｐ）通信に関与する送信を備える、請求項３１に記載の非一時的コンピュータ可読媒体。
【請求項３３】
前記ＳＲＳ送信が、アップリンク送信のために割り振られる前記３つ以上のシンボルのうちの最後の２つのシンボル中で前記ＲＡＣＨ送信と重複する、請求項３２に記載の非一時的コンピュータ可読媒体。
【請求項３４】
前記第１のＲＡＴネットワークに関連する前記ＧＰおよび前記ＵｐＰＴＳのために割り振られる前記いくつかのシンボルのうちの少なくとも１つのシンボルが前記ＧＰのために割り振られる、請求項３１に記載の非一時的コンピュータ可読媒体。
【請求項３５】
前記第２のＲＡＴネットワークが時分割同期符号分割多元接続（ＴＤ−ＳＣＤＭＡ）を備える、請求項３１に記載の非一時的コンピュータ可読媒体。
【請求項３６】
前記第１のＲＡＴネットワークがロングタームエボリューション（ＬＴＥ）時分割複信（ＴＤＤ）を備える、請求項３５に記載の非一時的コンピュータ可読媒体。
【請求項３７】
２：４のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、ｋ＝１、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読媒体。
【請求項３８】
３：３のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦１０、および１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読媒体。
【請求項３９】
４：２のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦６、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読媒体。
【請求項４０】
１：５のＴＤ−ＳＣＤＭＡダウンリンク／アップリンク構成について、ＬＴＥ  ＴＤＤスペシャルサブフレーム（ＳＳＦ）構成がｋ：（１４−ｋ−ｎ）：ｎを備え、ここにおいて、１≦ｋ≦５、１≦ｎ≦１３−ｋであり、ここにおいて、ｋがダウンリンクパイロットタイムスロット（ＤｗＰＴＳ）の数直交周波数分割多重（ＯＦＤＭ）シンボルを示し、ｎがＵｐＰＴＳの数ＯＦＤＭシンボルを示す、請求項３６に記載の非一時的コンピュータ可読媒体。